(57)【要約】【課題】印鑑サーバが格納した複数の印影イメージを、別の印鑑サーバに移行する際に、当該複数の印影イメージ全てを移行するための手段を提供する。【解決手段】印鑑サーバ１ａと、イメージ結合端末１０とを備え、印鑑サーバ１ａのデータベース２ａに格納した印影イメージを印鑑サーバ１ｂへ移行するとき、イメージ結合端末１０は、印鑑サーバ１ａから同一口座における複数の印影イメージを受信し、その複数の印影イメージを並べたときに、その並んだ印影イメージが入る最小の面積の矩形を求めて、その矩形内に複数の印影イメージを配置することで結合イメージデータを構成し、その結合イメージデータを印鑑サーバ１ｂに送信することで、登録させることを特徴とする。【選択図】図１
2008310644.tif 000002
【特許請求の範囲】
【請求項１】
１つの口座に対して顧客が登録した複数の印影イメージを格納する印鑑サーバと、該印鑑サーバと通信を行う送受信手段を有して、複数の印影イメージを結合するイメージ結合端末とを備え、
前記印鑑サーバに格納した印影イメージを別の印鑑サーバへ移行して登録するとき、前記イメージ結合端末は、前記印鑑サーバから同一口座における複数の印影イメージを受信し、その複数の印影イメージを並べたときに、その並んだ印影イメージが入る最小の面積の矩形を形成し、該矩形内に前記複数の印影イメージを配置することで結合イメージデータを構成し、該結合イメージデータを別の印鑑サーバに送信することで、登録させることを特徴とする印鑑登録システム。
【請求項２】
請求項１に記載の印鑑登録システムにおいて、
受信した前記印影イメージが２つある場合に、前記イメージ結合端末は、前記印影イメージを縦方向に並べたときの前記矩形の面積と、横方向に並べたときの前記矩形の面積とを比較し、その比較結果から面積が小さい方の矩形に基づいて前記印影イメージを配置して結合イメージデータを構成することを特徴とする印鑑登録システム。
【請求項３】
請求項１に記載の印鑑登録システムにおいて、
受信した前記印影イメージが３つある場合に、前記イメージ結合端末は、前記印影イメージを縦方向に並べたときの前記矩形の面積と、横方向に並べたときの前記矩形の面積と、縦方向が最長の印影イメージの縦方向の一辺に残りの２つの印影イメージを隣接するように並べたときの前記矩形の面積と、横方向が最長の印影イメージの横方向の一辺に残り２つの印影イメージを隣接するように並べたときの前記矩形の面積とを比較し、その比較結果から面積が最も小さい矩形に基づいて前記印影イメージを配置して結合イメージデータを構成することを特徴とする印鑑登録システム。
【請求項４】
顧客が登録した複数の印影イメージを格納する印鑑サーバと通信を行う送受信手段を有して、複数の印影イメージを結合するイメージ結合端末であって、
印鑑サーバから同一口座における複数の印影イメージを受信したときに、その複数の印影イメージを並べたときに、その並んだ印影イメージが入る最小の面積の矩形を形成し、該矩形内に前記複数の印影イメージを配置することで結合イメージデータを構成することを特徴とするイメージ結合端末。
【請求項５】
請求項４に記載のイメージ結合端末において、
受信した前記印影イメージが２つある場合に、前記印影イメージを縦方向に並べたときの前記矩形の面積と、横方向に並べたときの前記矩形の面積とを比較し、その比較結果から面積が小さい方の矩形に基づいて前記印影イメージを配置して結合イメージデータを構成することを特徴とするイメージ結合端末。
【請求項６】
請求項４に記載の印鑑登録システムにおいて、
受信した前記印影イメージが３つある場合に、前記印影イメージを縦方向に並べたときの前記矩形の面積と、横方向に並べたときの前記矩形の面積と、縦方向が最長の印影イメージの縦方向の一辺に残りの２つの印影イメージを隣接するように並べたときの前記矩形の面積と、横方向が最長の印影イメージの横方向の一辺に残り２つの印影イメージを隣接するように並べたときの前記矩形の面積とを比較し、その比較結果から面積が最も小さい矩形に基づいて前記印影イメージを配置して結合イメージデータを構成することを特徴とするイメージ結合端末。
【発明の詳細な説明】
【技術分野】
【０００１】
本発明は、金融機関における顧客認証のための印影イメージを格納した印鑑サーバから別の印鑑サーバに印影イメージを移行する印鑑登録システムに関し、特に１口座に対して複数印影イメージがある場合に、その複数の印影イメージを１つに結合して別の印鑑サーバに移行するための方法に関する。
【背景技術】
【０００２】
従来の印鑑照会システムは、印鑑サーバが印鑑照会機から受信した顧客の口座の店番、科目、口座番号および店番をもとに、データベースを検索し、該当する印影イメージを抽出し、その印影イメージを印鑑照会機に送信し、印鑑照会機が顧客の印鑑と受信した印影イメージとを照らし合わせるようにしている（例えば、特許文献１参照。）。
上述したような印鑑サーバのデータベースには、印影イメージとしての印鑑の印影だけでなく、顧客が口座開設等の際にその登録用紙からのイメージデータから顧客が記入した住所や直筆で署名した箇所を抽出して印影イメージとして格納している場合があり、そのような場合には、顧客１人当りの印影イメージの数が複数となっている。
【０００３】
また、一般には、金融機関でシステム変更が行われる場合に、それまで使用していた印鑑サーバから新たな印鑑サーバへの切替わりに伴って、印影イメージの移行を行うための印鑑登録システムが用いられている。
【特許文献１】特開２００６−３１８３２１号公報（段落「００２９」−「００３１」、第４図）
【発明の開示】
【発明が解決しようとする課題】
【０００４】
しかしながら、上述した印鑑登録システムにおいては、印影イメージの移行を行う際は、元々のデータベースが１口座に対して複数の印影イメージを格納していた場合であっても例えば印鑑の印影イメージのみを移行するように、複数の印影イメージから１イメージを特定して移行する仕様となっている場合があり、そのような場合には移行されなかった印影イメージについては、後日顧客に再登録を行わせるようにしていたという問題がある。
【０００５】
本発明は、上記の問題点を解決するための手段を提供することを目的とする。
【課題を解決するための手段】
【０００６】
本発明は、上記課題を解決するために、１つの口座に対して顧客が登録した複数の印影イメージを格納する印鑑サーバと、該印鑑サーバと通信を行う送受信手段を有して、複数の印影イメージを結合するイメージ結合端末とを備え、前記印鑑サーバに格納した印影イメージを別の印鑑サーバへ移行して登録するとき、前記イメージ結合端末は、前記印鑑サーバから同一口座における複数の印影イメージを受信し、その複数の印影イメージを並べたときに、その並んだ印影イメージが入る最小の面積の矩形を形成し、該矩形内に前記複数の印影イメージを配置することで結合イメージデータを構成し、該結合イメージデータを別の印鑑サーバに送信することで、登録させることを特徴とする。
【発明の効果】
【０００７】
これにより、本発明は、１口座当り複数の印影イメージを格納している印鑑サーバから、１口座について１つの印影イメージしか移行できない印鑑サーバへ印影イメージを移行するときに、複数の印影イメージから結合イメージを構成するので、複数の印影イメージから特定の印影イメージしか移行されない場合に、移行されなかった印影イメージについて顧客に再度登録を行わせることを防止することができるという効果が得られる。
【発明を実施するための最良の形態】
【０００８】
以下に、図面を参照して本発明による印鑑登録システムの実施例について説明する。
【実施例１】
【０００９】
図１は実施例１の印鑑登録システムを示すブロック図である。
図１において、１は印鑑サーバであり、金融機関のセンタに設置されて、顧客によって予め登録されて印鑑の印影や顧客によるサイン等の印影データをその顧客の口座番号に関連付けた口座イメージデータや顧客の口座情報等を格納したデータベース２を備え、その口座イメージデータをデータベース２から読み出し、またデータベース２への書き込みを行う機能を備えるものである。
【００１０】
またこの印鑑サーバ１はＬＡＮ３を介してセンタ内に設置された他の機器と相互に通信可能に接続されている。
１０は、イメージ結合端末であり、センタに設置されて係員の操作によって金融機関内のシステム変更に伴ってそれまで使われていた印鑑サーバ１の印鑑データベース２に格納されている口座イメージデータを受信して、新たに用いる別の印鑑サーバへ送信することで口座イメージデータの移行を行う。
【００１１】
１１は、制御部であり、記憶部１２に格納した制御プログラムに従って、イメージ結合端末１０の各部を制御して口座イメージデータの移行のための処理を遂行する他、通信部（送受信手段）１３によってＬＡＮ３を介して印鑑サーバ１と通信可能に接続する機能を有する。
１２は、記憶部であり、制御プログラムを格納する他、制御部１１による処理結果等を記憶する。
【００１２】
１５は表示操作部であり、イメージデータ移行処理や印影データの結合処理の操作手順等を表示するＣＲＴやＬＣＤ等の表示画面と、係員がイメージデータ移行処理等の各種処理を実行するための操作等を行う図示しないキーボードやマウス等によって構成される。
上述した構成の作用について図２に示すイメージデータ移行の処理を示すフローチャートを用い、Ｓで示すステップに従って説明する。
【００１３】
ここでは、金融機関におけるシステム変更に伴って、古い印鑑サーバ１から新しい印鑑サーバ１への口座イメージデータの移行について説明する。
ここで、元々印影イメージをデータベース２に格納している印鑑サーバ１にはａの符号を付し、口座イメージデータの移行先となる印鑑サーバ１にはｂの符号を付して両印鑑サーバ１を区別する。
【００１４】
係員はイメージ結合端末１０の表示操作部１５のキーボードによってイメージデータ移行の処理のための操作を行う。
Ｓ１、イメージ結合端末１０の制御部１１は、係員による操作を受付けると、通信部１３によって印鑑サーバ１ａにデータ移行電文を送信する。
【００１５】
Ｓ２、印鑑サーバ１ａは、データ移行電文を受信すると、データベース２ａに格納した口座イメージデータを全て読み出して、その読み出した口座イメージデータを次々と通信回線３を介してイメージ結合端末１０に送信していく。
Ｓ３、制御部１１は受信した口座イメージデータからそこに含まれる印影イメージの数に応じたイメージ結合処理を実行する。
ここで、２つの印影イメージＡ、Ｂを結合する場合について説明する。
【００１６】
まず、印影イメージＡの横の長さをＸａ、縦の長さをＹａとし、印影イメージＢの横の長さをＸｂ、縦の長さをＹｂとする。
まず、印影イメージＡ、Ｂを縦に並べて結合する場合を考慮する。
ここで、図３は、縦に並べた２つの印影イメージを結合した結合イメージデータを示す説明図であり、（ａ）は単に２つの印影イメージを並べた様子を示し、（ｂ）は２つの印影イメージに結合処理を行った結合イメージデータを示す。
【００１７】
結合処理によって、図３（ａ）に示すように２つの印影イメージＡ、Ｂの縦の一辺が連続するように揃えて並べ、その並んだ２つの印影イメージＡ、Ｂを含む面積の長方形を想定し、その長方形内に印影イメージＡ、Ｂを配置してさらに長方形内の空いているスページにはダミーデータを配することで印影イメージＡ、Ｂの結合イメージデータＣ１を構成する。
【００１８】
そのため、縦に並んだ印影イメージＡ、Ｂを配置した長方形の面積は、図３（ｂ）に示すように縦の長さはＹａとＹｂを足し合わせた長さで、横の長さは印影イメージＡ、Ｂを比べて横の長さが長い方のＸａとなる。
このようにして定まる面積Ｓａｂ１は、Ｓａｂ１＝Ｘａ×（Ｙａ＋Ｙｂ）で求まり、制御部１１はその面積Ｓａｂ１を記憶部１２に記憶する。
次に、印影イメージＡ、Ｂを横に並べて結合する場合を考慮する。
【００１９】
ここで、図４は横に並べた２つの印影イメージを結合した結合イメージデータを示す説明図であり、（ａ）は２つの印影イメージを横に並べた様子を示し、（ｂ）は２つの印影イメージに結合処理を行った結合イメージデータを示す。
結合処理によって、図４（ａ）に示すように２つの印影イメージＡ、Ｂの横の一辺が連続するように揃えて並べ、その並んだ２つの印影イメージＡ、Ｂを含む面積の長方形を想定し、その長方形内に印影イメージＡ、Ｂを配置してさらに長方形内の空いているスページにはダミーデータを配することで印影イメージＡ、Ｂの結合イメージデータＣ２を構成する。
【００２０】
そのため、横に並んだ印影イメージＡ、Ｂを含む長方形の面積は、図４（ｂ）に示すように横の長さはＸａとＸｂを足し合わせた長さで、縦の長さは印影イメージＡ、Ｂを比べて長い方であるＹｂとなる。
このようにして定まる面積Ｓａｂ２は、Ｓａｂ２＝Ｙｂ×（Ｘａ＋Ｘｂ）で求まり、制御部１１はその面積Ｓａｂ２を記憶部１２に記憶する。
【００２１】
そして、制御部１１は、記憶した面積Ｓａｂ１、Ｓａｂ２を読み出し、読み出した両面積Ｓａｂ１、Ｓａｂ２の比較を行い、比較の結果、面積Ｓａｂ１の方が小さい場合には結合イメージデータＣ１を元の口座イメージデータの印影イメージＡ、Ｂと置き換えて口座イメージデータの内容を更新する。
一方、口座イメージデータに３つの印影イメージＡ、Ｂ、Ｃがある場合の結合処理を以下に示す。
【００２２】
ここで、印影イメージＡの横の長さをＸａ、縦の長さをＹａ、印影イメージＢの横の長さをＸｂ、縦の長さをＹｂ、印影イメージＣの横の長さをＸｃ、縦の長さをＹｃとする。
なお、印影イメージＡ、Ｂ、Ｃの横の長さおよび縦の長さを比較したときの関係は、横はＸａ＞Ｘｂ＞Ｘｃであって、横はＹａ＜Ｙｂ＜Ｙｃであるものとする。
図５は縦に並べた３つの印影イメージを結合する様子を示す説明図であり、（ａ）は印影イメージを並べた様子を示し、（ｂ）縦に並べた印影イメージに結合処理を行った結合イメージデータを示す。
【００２３】
結合処理によって、図５（ａ）に示すように３つの印影イメージＡ、Ｂ、Ｃを横の長さが長いものから順に縦方向に沿って上下に配し、縦の一辺を揃えて並べ、上記の２つの印影イメージから結合イメージデータを構成したように、印影イメージＡ、Ｂ、Ｃを含む面積の長方形を想定してその長方形内に印影イメージＡ、Ｂ、Ｃを配置してさらに長方形内の空いているスページにはダミーデータを配することで、結合イメージデータＣ３を構成する。
【００２４】
そのため、縦に印影イメージＡ、Ｂ、Ｃを並べたときの結合イメージデータＣ３の面積は、図５（ｂ）に示すように横の長さが３つの印影イメージＡ、Ｂ、Ｃの中で最も長い長さのＸａで、縦の長さは印影イメージＡ、Ｂ、Ｃの縦の長さを足し合わせたＹａ＋Ｙｂ＋Ｙｃとなる。
このようにして定まる面積Ｓａｂｃ１は、Ｓａｂｃ１＝Ｘａ×（Ｙａ＋Ｙｂ＋Ｙｃ）で求まり、制御部１１は記憶部１２に面積Ｓａｂｃ１を記憶する。
次に印影イメージＡ、Ｂ、Ｃを横に並べた場合を考慮する。
【００２５】
ここで、図６は縦に並べた３つの印影イメージを結合した結合イメージデータを示す説明図であり、（ａ）は３つの印影イメージを横に並べた様子を示し、（ｂ）は３つの印影イメージに結合処理を行った結合イメージデータを示す。
結合処理によって、図６（ａ）に示すように印影イメージＡ、Ｂ、Ｃを縦の長さが短い順に横方向に沿って左から右に配し、横の一辺を揃えて並べ、そのように並べた印影イメージＡ、Ｂ、Ｃを含む面積の長方形を想定してその長方形内に印影イメージＡ、Ｂ、Ｃを配置してさらに長方形内の空いているスページにはダミーデータを配することで結合イメージデータＣ４を構成する。
【００２６】
そのため、横に印影イメージＡ、Ｂ、Ｃを並べたときの結合イメージデータＣ４の面積Ｓａｂｃ２は、図６（ｂ）に示すように横の長さが印影イメージＡ、Ｂ、Ｃの横の長さを足し合わせたＸａ＋Ｘｂ＋Ｘｃで、縦の長さは印影イメージＡ、Ｂ、Ｃの中で最も長い長さのＹｃとなる。
このようにして定まる面積Ｓａｂｃ２は、Ｓａｂｃ２＝Ｙｃ×（Ｘａ＋Ｘｂ＋Ｘｃ）で求まり、制御部１１は記憶部１２に面積Ｓａｂｃ２を記憶する。
次に図７は上下に並んだ印影イメージＡ、Ｂを印影イメージＣの横に配して並べた状態で結合する様子を示す説明図であり、（ａ）は印影イメージを並べた様子を示し、（ｂ）並べた印影イメージに結合処理を行った結合イメージデータを示す。
【００２７】
図７（ａ）に示すように印影イメージＡ、Ｂ、Ｃから縦の長さが最も長い印影イメージＣの右隣に印影イメージＡ、Ｂを縦方向に沿って上下に並べて配置した場合の結合イメージデータＣ５を考慮する。
上記と同様にして印影イメージＡ、Ｂ、Ｃを含む長方形を想定し、その長方形内に印影イメージＡ、Ｂ、Ｃを配置してさらに長方形内の空いているスページにはダミーデータを配することで、結合イメージデータＣ５を構成する。
【００２８】
そのため、結合イメージデータＣ５の面積Ｓａｂｃ３は、図７（ｂ）に示すように横の長さが印影イメージＡ、Ｂの横の長さを足し合わせたＸａ＋Ｘｂで、縦の長さは印影イメージＢ、Ｃとを足し合わせた長さのＹｂ＋Ｙｃとなるので、面積Ｓａｂｃ３＝（Ｘａ＋Ｘｂ）×（Ｙｂ＋Ｙｃ）となり、制御部１１は記憶部１２に面積Ｓａｂｃ３を記憶する。
また、図８は左右に並んだ印影イメージＢ、Ｃの上方に印影イメージＡを配して並べた状態で結合する様子を示す説明図であり、（ａ）は印影イメージを並べた様子を示し、（ｂ）並べた印影イメージに結合処理を行った結合イメージデータを示す。
【００２９】
図８（ａ）に示すように印影イメージＡ、Ｂ、Ｃから横の長さが最も長い印影イメージＡの下方に左右に並べた印影イメージＢ、Ｃを配した場合の結合イメージデータＣ６を考慮する。
上記と同様にして印影イメージＡ、Ｂ、Ｃを含む長方形を想定し、その長方形内に印影イメージＡ、Ｂ、Ｃを配置してさらに長方形内の空いているスページにはダミーデータを配することで、結合イメージデータＣ６を構成する。
【００３０】
そのため、結合イメージデータＣ６の面積Ｓａｂｃ４は、図８（ｂ）に示すように印影イメージＡの横の長さより、印影イメージＢ、Ｃの横の長さを足し合わせた長さの方が長いため、結合イメージデータＣ６の横の長さはＸｂ＋Ｘｃで、縦の長さは印影イメージＡ、Ｃの縦の長さを足し合わせたＹａ＋Ｙｃとなり、面積Ｓａｂｃ４＝（Ｘｂ＋Ｘｃ）×（Ｙａ＋Ｙｃ）となり、制御部１１は記憶部１２に面積Ｓａｂｃ４を記憶する。
【００３１】
そして、制御部１１は、記憶した面積Ｓａｂｃ１、Ｓａｂｃ２、Ｓａｂｃ３、Ｓａｂｃ４を読み出し、読み出した面積について比較を行ってその比較結果、面積Ｓａｂｃ４が最も小さい面積である場合には、結合イメージデータＣ６を元の口座イメージデータの印影イメージＡ、Ｂ、Ｃと置き換えて口座イメージデータの内容を更新する。
このようにして、印影イメージの数に応じて結合処理を行う。
Ｓ４、制御部１１は、内容を更新した口座イメージデータを、通信部１３によってＬＡＮ３を介して印鑑サーバ１ｂに送信する。
【００３２】
Ｓ５、印鑑サーバ１ｂは、イメージ結合端末１０から受信した口座イメージデータをデータベース２ｂに格納し、イメージデータ移行の処理を終了する。
以上説明したように、本実施例では、複数の印影イメージを並べたときにその並んだ印影イメージが入る長方形（矩形）を求めて、その長方形の面積が最小となる並べ方で印影イメージを並べて結合イメージデータを構成するので、１口座当り複数の印影イメージを格納している印鑑サーバから、１口座について１つの印影イメージしか移行できない印鑑サーバへ印影イメージを含む口座イメージデータを移行するときに、複数の印影イメージを結合イメージデータに置換した口座イメージデータを送信するので、印影イメージが移行できないことによる顧客に印影イメージの再登録を行わせることを防止することができる。
【図面の簡単な説明】
【００３３】
【図１】実施例１の印鑑登録システムを示すブロック図
【図２】イメージデータ移行の処理を示すフローチャート
【図３】縦に並べた２つの印影イメージを結合した結合イメージデータを示す説明図
【図４】横に並べた２つの印影イメージを結合した結合イメージデータを示す説明図
【図５】縦に並べた３つの印影イメージを結合する様子を示す説明図
【図６】縦に並べた３つの印影イメージを結合した結合イメージデータを示す説明図
【図７】上下に並んだ印影イメージＡ、Ｂを印影イメージＣの横に配して並べた状態で結合する様子を示す説明図
【図８】左右に並んだ印影イメージＢ、Ｃの上方に印影イメージＡを配して並べた状態で結合する様子を示す説明図
【符号の説明】
【００３４】
１    印鑑サーバ
２    データベース
３    ＬＡＮ
１０  イメージ結合端末
１１  制御部
１２  記憶部
１３  通信部
１５  表示操作部
【図１】
2008310644.tif 000003
【図２】
2008310644.tif 000004
【図３】
2008310644.tif 000005
【図４】
2008310644.tif 000006
【図５】
2008310644.tif 000007
【図６】
2008310644.tif 000008
【図７】
2008310644.tif 000009
【図８】
2008310644.tif 000010